(57)【要約】ページング方法、ネットワーク装置及び通信システムを提供する。該方法は、モビリティ管理エンティティ（ＭＭＥ）が、基地局又はゲートウェイにより送信された、アイドル状態にあるユーザ装置を呼び覚ましたことを示すページング指示情報を受信するステップ、を含む。本発明の実施例によれば、該ＭＭＥがページングメッセージを再送することを回避でき、ページングシグナリングのオーバヘッドを低減できる。【選択図】図４
2016532337.tif 000002
【特許請求の範囲】
【請求項１】
ページング方法であって、
モビリティ管理エンティティ（ＭＭＥ）が、基地局又はゲートウェイにより送信された、アイドル状態にあるユーザ装置を呼び覚ましたことを示すページング指示情報を受信するステップ、を含む、方法。
【請求項２】
前記ページング指示情報に基づいてページングメッセージの送信を停止するステップ、をさらに含む、請求項１に記載の方法。
【請求項３】
前記ページング指示情報は、ユーザ装置識別子、及び／又はスモールデータパケット伝送の指示情報を含み、
前記ユーザ装置識別子は、前記ＭＭＥがゲートウェイから受信したデータ到着指示に含まれるユーザ装置識別子と一致し、或いは前記ＭＭＥが前記基地局に送信したページングメッセージに含まれるユーザ装置識別子と一致する、請求項１に記載の方法。
【請求項４】
ページング方法であって、
基地局と接続を確立したユーザ装置が、前記基地局がＭＭＥから受信したページングメッセージに含まれるユーザ装置識別子に対応するユーザ装置であり、且つ前記ユーザ装置が接続無し方式を用いてデータ伝送を行う場合に、前記基地局が、前記ＭＭＥに、アイドル状態にあるユーザ装置を呼び覚ましたことを示すページング指示情報を送信するステップ、を含む、方法。
【請求項５】
ページング方法であって、
ゲートウェイとデータ伝送チャネルを確立したユーザ装置が、前記ゲートウェイがＭＭＥに送信したデータ到着指示メッセージに含まれるユーザ装置識別子に対応するユーザ装置であり、且つ前記ユーザ装置が接続無し方式を用いてデータ伝送を行う場合に、前記ゲートウェイが、前記ＭＭＥに、アイドル状態にあるユーザ装置を呼び覚ましたことを示すページング指示情報を送信するステップ、を含む、方法。
【請求項６】
モビリティ管理エンティティであって、
基地局又はゲートウェイにより送信された、アイドル状態にあるユーザ装置を呼び覚ましたことを示すページング指示情報を受信する第１の受信手段、を含む、モビリティ管理エンティティ。
【請求項７】
前記ページング指示情報に基づいてページングメッセージの送信を停止する第１の処理手段、をさらに含む、請求項６に記載のモビリティ管理エンティティ。
【請求項８】
基地局であって、
基地局と接続を確立したユーザ装置が、前記基地局がＭＭＥから受信したページングメッセージに含まれるユーザ装置識別子に対応するユーザ装置であり、且つ前記ユーザ装置が接続無し方式を用いてデータ伝送を行う場合に、前記ＭＭＥに、アイドル状態にあるユーザ装置を呼び覚ましたことを示すページング指示情報を送信する第１の送信手段、を含む、基地局。
【請求項９】
ゲートウェイであって、
ゲートウェイとデータ伝送チャネルを確立したユーザ装置が、前記ゲートウェイがＭＭＥに送信したデータ到着指示メッセージに含まれるユーザ装置識別子に対応するユーザ装置であり、且つ前記ユーザ装置が接続無し方式を用いてデータ伝送を行う場合に、前記ＭＭＥに、アイドル状態にあるユーザ装置を呼び覚ましたことを示すページング指示情報を送信する第２の送信手段、を含む、ゲートウェイ。
【請求項１０】
ページング方法であって、
ＭＭＥがアイドル状態にあるユーザ装置を呼び覚ますことをトリガするように、前記ＭＭＥが、ゲートウェイにより送信された前記ユーザ装置のデータ到着指示情報を受信するステップと、
前記ユーザ装置がスモールデータ伝送方式を用いる場合に、前記ＭＭＥが、基地局を介して前記ユーザ装置にページングメッセージを送信し、且つ前記ページングメッセージの送信を繰り返さないステップと、を含む、方法。
【請求項１１】
ページング方法であって、
ＭＭＥがアイドル状態にあるユーザ装置を呼び覚ますことをトリガするように、ゲートウェイが、前記ＭＭＥに前記ユーザ装置のデータ到着指示情報を送信するステップと、
前記ユーザ装置が呼び覚まされていない場合に、前記ゲートウェイが、前記データ到着指示情報を再送するステップと、を含む、方法。
【請求項１２】
所定の時間内に前記ユーザ装置のデータ伝送チャネル確立情報を受信していない場合に、前記ユーザ装置が呼び覚まされていないと決定するステップ、をさらに含む、請求項１１に記載の方法。
【請求項１３】
モビリティ管理エンティティ（ＭＭＥ）であって、
前記ＭＭＥがアイドル状態にあるユーザ装置を呼び覚ますことをトリガするように、ゲートウェイにより送信された前記ユーザ装置のデータ到着指示情報を受信する第２の受信手段と、
前記ユーザ装置がスモールデータ伝送方式を用いる場合に、基地局を介して前記ユーザ装置にページングメッセージを送信し、且つ前記ページングメッセージの送信を繰り返さない第２の処理手段と、を含む、モビリティ管理エンティティ。
【請求項１４】
ゲートウェイであって、
ＭＭＥがアイドル状態にあるユーザ装置を呼び覚ますことをトリガするように、前記ＭＭＥに前記ユーザ装置のデータ到着指示情報を送信する第３の送信手段と、
前記ユーザ装置が呼び覚まされていない場合に、前記データ到着指示情報を再送する第３の処理手段と、を含む、ゲートウェイ。
【請求項１５】
所定の時間内に前記ユーザ装置のデータ伝送チャネル確立情報を受信していない場合に、前記ユーザ装置が呼び覚まされていないと決定する決定手段、をさらに含む、請求項１４に記載のゲートウェイ。
【請求項１６】
ユーザ装置と、基地局と、ＭＭＥと、ゲートウェイとを含む通信システムであって、
ゲートウェイとデータ伝送チャネルを確立したユーザ装置が、前記ゲートウェイがＭＭＥに送信したデータ到着指示メッセージに含まれるユーザ装置識別子に対応するユーザ装置であり、且つ前記ユーザ装置が接続無し方式を用いてデータ伝送を行う場合に、前記ゲートウェイは、前記ＭＭＥに、アイドル状態にあるユーザ装置を呼び覚ましたことを示すページング指示情報を送信し、
前記ＭＭＥは、ゲートウェイにより送信された、アイドル状態にあるユーザ装置を呼び覚ましたことを示すページング指示情報を受信し、ページングメッセージの送信を停止する、通信システム。
【請求項１７】
ユーザ装置と、基地局と、ＭＭＥと、ゲートウェイとを含む通信システムであって、
基地局と接続を確立したユーザ装置が、前記基地局がＭＭＥから受信したページングメッセージに含まれるユーザ装置識別子に対応するユーザ装置であり、且つ前記ユーザ装置が接続無し方式を用いてデータ伝送を行う場合に、前記基地局は、前記ＭＭＥに、アイドル状態にあるユーザ装置を呼び覚ましたことを示すページング指示情報を送信し、
前記ＭＭＥは、ゲートウェイにより送信された、アイドル状態にあるユーザ装置を呼び覚ましたことを示すページング指示情報を受信し、ページングメッセージの送信を停止する、通信システム。
【請求項１８】
ユーザ装置と、基地局と、モビリティ管理エンティティと、ゲートウェイとを含む通信システムであって、
前記ゲートウェイは、ＭＭＥがアイドル状態にあるユーザ装置を呼び覚ますことをトリガするように、前記ＭＭＥに前記ユーザ装置のデータ到着指示情報を送信し、前記ユーザ装置が呼び覚まされていない場合に、前記データ到着指示情報を再送し、
前記ＭＭＥは、前記ＭＭＥがアイドル状態にあるユーザ装置を呼び覚ますことをトリガするように、ゲートウェイにより送信された前記ユーザ装置のデータ到着指示情報を受信し、前記ユーザ装置がスモールデータ伝送方式を用いる場合に、基地局を介して前記ユーザ装置にページングメッセージを送信し、且つ前記ページングメッセージの送信を繰り返さない、通信システム。
【請求項１９】
基地局においてプログラムを実行する際に、コンピュータに、請求項４に記載のページング方法を前記基地局において実行させる、コンピュータ読み取り可能なプログラム。
【請求項２０】
コンピュータに、請求項４に記載のページング方法を基地局において実行させるためのコンピュータ読み取り可能なプログラムを記憶する、記憶媒体。
【請求項２１】
モビリティ管理エンティティにおいてプログラムを実行する際に、コンピュータに、請求項１乃至３、及び１０のいずれかに記載のページング方法を前記モビリティ管理エンティティにおいて実行させる、コンピュータ読み取り可能なプログラム。
【請求項２２】
コンピュータに、請求項１乃至３、及び１０のいずれかに記載のページング方法をモビリティ管理エンティティにおいて実行させるためのコンピュータ読み取り可能なプログラムを記憶する、記憶媒体。
【請求項２３】
ゲートウェイにおいてプログラムを実行する際に、コンピュータに、請求項５、１１又は１２に記載のページング方法を前記ゲートウェイにおいて実行させる、コンピュータ読み取り可能なプログラム。
【請求項２４】
コンピュータに、請求項５、１１又は１２に記載のページング方法をゲートウェイにおいて実行させるためのコンピュータ読み取り可能なプログラムを記憶する、記憶媒体。
【発明の詳細な説明】
【技術分野】
【０００１】
本発明は、通信分野に関し、特にページング方法、ネットワーク装置及び通信システムに関する。
【背景技術】
【０００２】
ＬＴＥネットワークシステムでは、アイドル（ｉｄｌｅ）状態にあるユーザ装置（ＵＥ）がデータの送受信を行う場合、アイドル状態から接続状態に入り、ネットワーク側との制御プレーン接続及びユーザプレーン接続を確立する必要がある。ここで、制御プレーン接続は、ＵＥと基地局（例えばｅＮＢ）との間の無線リソース制御（ＲＲＣ：Ｒａｄｉｏ  Ｒｅｓｏｕｒｃｅ  Ｃｏｎｔｒｏｌ）接続、及びｅＮＢとモビリティ管理エンティティ（ＭＭＥ：Ｍｏｂｉｌｅ  Ｍａｎａｇｅｍｅｎｔ  Ｅｎｔｉｔｙ）との間のＳ１接続を含み、ユーザプレーン接続は、ＵＥと基地局との間の無線ベアラ（Ｒａｄｉｏ  Ｂｅａｒｅｒ）、及び基地局とゲートウェイ（ＧＷ）との間の接続を含み、例えば、該ゲートウェイは、パケットデータネットワークゲートウェイ（ＰＤＮ  ＧＷ：Ｐａｃｋｅｔ  Ｄａｔａ  Ｎｅｔｗｏｒｋ  Ｇａｔｅｗａｙ）及び／又はサービングゲートウェイ（ＳＧＷ：Ｓｅｒｖｉｎｇ  Ｇａｔｅｗａｙ）であってもよい。
【０００３】
図１は従来方式におけるＵＥによるデータ伝送の状態切替のフローチャートである。図１は、該ＵＥのアイドル状態から接続状態への切替、並びに一連の制御プレーン及びユーザプレーンの接続の確立プロセスを示し、該伝送方式を従来方式と称する。具体的な確立プロセスは、３ＧＰＰ  ＴＳ  ３６．３００及び３ＧＰＰ  ＴＳ  ２３．４０１を参照してもよく、ここで引用する形でその内容を援用する。
【０００４】
移動ネットワークにおける端末装置の増加及びサービスの多様化に伴い、ネットワークリソースについても高く求められている。ネットワークリソースの強化は、ネットワークリソースを多く拡張してもよいし、リソースの利用率を向上してもよい。スモールデータの伝送は、マシン型通信（ＭＴＣ：Ｍａｃｈｉｎｅ  Ｔｙｐｅ  Ｃｏｍｍｕｎｉｃａｔｉｏｎ）アプリケーション及びスマート端末サービスの典型的な特徴の１つであり、ＵＥとネットワーク側との間で少量のデータパケットを送受信することを指し、このようなスモールデータの伝送は頻繁なものであってもよいし、頻繁なものでなくてもよい。例えば、スマート温度検出のアプリケーションでは、ＭＴＣ端末装置は、検出された温度値をＭＴＣサーバに１時間ごとに報告し、該アプリケーションでは、毎回で報告されたデータは単なる１回で検出された温度値であり、データ量が小さく、スモールデータ伝送と見なされてもよい。
【０００５】
従来の方式でスモールデータ伝送を行う場合、ＵＥがネットワーク側へのサービス要求フローを行い、ネットワーク側のサービスを受けるようにアイドル状態から接続状態に切り替える必要があり、伝送されるデータ量に比べると、システムのリソース利用率の低下に繋がる可能性がある。スモールデータ伝送のシステムリソースの利用率を高めるために、従来の方法の１つとして、スモールデータ伝送プロセスにおけるネットワークシグナリングのオーバヘッドを低減する。
【０００６】
図２は従来方式における強化されたスモールデータの伝送プロセスのフローチャートである。図２に示すように、該強化されたスモールデータ伝送方式では、ＭＭＥのような制御プレーンの局でｅＮＢとＳＧＷとの間のデータ伝送チャネルを確立することなく、データパケット内でアドレス情報をキャリーすることでｅＮＢとＳＧＷとの間のデータ伝送チャネルを確立する。これによって、データプレーンを確立する前にｅＮＢとＭＭＥとの間の制御プレーン接続の確立、及びＭＭＥとＳＧＷとの間のシグナリングプロセスが回避され、シグナリングオーバヘッドが節約された。ここで、該伝送方式を接続無し方式のデータ伝送と称する。
【０００７】
図３は従来方式におけるダウンリンクデータが到着した後にＵＥを呼び覚ますプロセスのフローチャートである。ダウンリンクサービスが到着した場合に、ネットワーク側は図３に示すプロセスに従って、アイドル状態にあるＵＥを呼び覚ましてサービス伝送を行う。
【０００８】
図３に示すように、該方法は以下のステップを含む。
【０００９】
ステップ３０１：アイドル状態にあるユーザ装置のダウンリンクデータが到着する。
【００１０】
ステップ３０２：ＳＧＷはＭＭＥにダウンリンクデータ到着指示を送信する。
【００１１】
ステップ３０３：該ＭＭＥは、それに記憶されたトラッキングエリア（ＴＡ：Ｔｒａｃｋｉｎｇ  Ａｒｅａ）情報に基づいて、該ＴＡ内にある基地局（ｅＮＢ）にページング（ｐａｇｉｎｇ）メッセージを送信する。
【００１２】
ステップ３０４：該ｅＮＢはエアインターフェイス（ａｉｒ  ｉｎｔｅｒｆａｃｅ）において該ページングメッセージをブロードキャストする。
【００１３】
ステップ３０５：該ＵＥは該ページングメッセージを受信した。
【００１４】
ステップ３０６：該ＵＥは、ＵＥとｅＮＢとの間のＲＲＣ接続、及びＵＥとＭＭＥとの間のネットワーク接続ストレージ（ＮＡＳ：Ｎｅｔｗｏｒｋ  Ａｔｔａｃｈｅｄ  Ｓｔｏｒａｇｅ）接続を含むネットワーク側との接続を確立する。
【００１５】
ここで、ＭＭＥは、ＵＥから送信されたＮＡＳ接続確立要求により、該ＵＥを呼び覚ましたことを知った場合に、ページングメッセージの送信を停止し、該ＵＥのために該ＵＥとＳＧＷとの間のデータ伝送チャネルを確立する。
【００１６】
ＵＥによるページングメッセージに対する応答が成功していない場合に、例えば、該ＭＭＥが所定の時間内にＵＥにより送信されたＮＡＳ接続確立要求を受信していない場合に、該ＭＭＥは、ＵＥの応答を受信し、又はページング伝送が最大回数に達し、若しくは時間を超過するまで、ページングメッセージを再送してもよい。
【００１７】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【００１８】
従来、シグナリングオーバヘッドを低減したスモールデータパケット伝送方式では、ＵＥが通信を行う際にＭＭＥとの間のＮＡＳ接続を確立する必要がない場合に、図２に示す接続無し方式には、以下の問題点が存在する。
【００１９】
ダウンリンクデータが到着した後に、ＭＭＥがページングメッセージを送信してアイドル（ｉｄｌｅ）状態にあるＵＥを呼び覚まし、該ページング（ｐａｇｉｎｇ）メッセージは、ＵＥが接続無し方式伝送を行うことを示す指示をキャリーする場合がある。該ＵＥが該ｐａｇｉｎｇメッセージを受信した後に応答し、ＭＭＥとの間のＮＡＳ接続を確立することなく、接続無し方式によってＳＧＷとの間のデータ伝送チャネルを確立する場合に、ＭＭＥは、該ＵＥを読み覚ましたか否かを知ることができない。よって、該ＭＭＥは、ＵＥを呼び覚ますことを確保するためにページングメッセージを再送する可能性があり、この場合にＵＥが読み覚まされたときに、不要なページングメッセージの伝送に繋がり、Ｓ１インターフェイス及びエアインターフェイスにおける無駄なリソースを生じてしまう。
【００２０】
本発明の実施例は、不要なページングオーバヘッドを低減できるページング方法、ネットワーク装置及び通信システムを提供する。
【課題を解決するための手段】
【００２１】
本発明の実施例の第１の態様では、ページング方法であって、モビリティ管理エンティティ（ＭＭＥ）が、基地局又はゲートウェイにより送信された、アイドル状態にあるユーザ装置を呼び覚ましたことを示すページング指示情報を受信するステップ、を含む、方法を提供する。
【００２２】
本発明の実施例の第２の態様では、ページング方法であって、基地局と接続を確立したユーザ装置が、前記基地局がＭＭＥから受信したページングメッセージに含まれるユーザ装置識別子に対応するユーザ装置であり、且つ前記ユーザ装置が接続無し方式を用いてデータ伝送を行う場合に、前記基地局が、前記ＭＭＥに、アイドル状態にあるユーザ装置を呼び覚ましたことを示すページング指示情報を送信するステップ、を含む、方法を提供する。
【００２３】
本発明の実施例の第３の態様では、ページング方法であって、ゲートウェイとデータ伝送チャネルを確立したユーザ装置が、前記ゲートウェイがＭＭＥに送信したデータ到着指示メッセージに含まれるユーザ装置識別子に対応するユーザ装置であり、且つ前記ユーザ装置が接続無し方式を用いてデータ伝送を行う場合に、前記ゲートウェイが、前記ＭＭＥに、アイドル状態にあるユーザ装置を呼び覚ましたことを示すページング指示情報を送信するステップ、を含む、方法を提供する。
【００２４】
本発明の実施例の第４の態様では、モビリティ管理エンティティであって、基地局又はゲートウェイにより送信された、アイドル状態にあるユーザ装置を呼び覚ましたことを示すページング指示情報を受信する第１の受信手段、を含む、モビリティ管理エンティティを提供する。
【００２５】
本発明の実施例の第５の態様では、基地局であって、基地局と接続を確立したユーザ装置が、前記基地局がＭＭＥから受信したページングメッセージに含まれるユーザ装置識別子に対応するユーザ装置であり、且つ前記ユーザ装置が接続無し方式を用いてデータ伝送を行う場合に、前記ＭＭＥに、アイドル状態にあるユーザ装置を呼び覚ましたことを示すページング指示情報を送信する第１の送信手段、を含む、基地局を提供する。
【００２６】
本発明の実施例の第６の態様では、ゲートウェイであって、ゲートウェイとデータ伝送チャネルを確立したユーザ装置が、前記ゲートウェイがＭＭＥに送信したデータ到着指示メッセージに含まれるユーザ装置識別子に対応するユーザ装置であり、且つ前記ユーザ装置が接続無し方式を用いてデータ伝送を行う場合に、前記ＭＭＥに、アイドル状態にあるユーザ装置を呼び覚ましたことを示すページング指示情報を送信する第２の送信手段、を含む、ゲートウェイを提供する。
【００２７】
本発明の実施例の第７の態様では、ページング方法であって、ＭＭＥがアイドル状態にあるユーザ装置を呼び覚ますことをトリガするように、前記ＭＭＥが、ゲートウェイにより送信された前記ユーザ装置のデータ到着指示情報を受信するステップと、前記ユーザ装置がスモールデータ伝送方式を用いる場合に、前記ＭＭＥが、基地局を介して前記ユーザ装置にページングメッセージを送信し、且つ前記ページングメッセージの送信を繰り返さないステップと、を含む、方法を提供する。
【００２８】
本発明の実施例の第８の態様では、ページング方法であって、ＭＭＥがアイドル状態にあるユーザ装置を呼び覚ますことをトリガするように、ゲートウェイが、前記ＭＭＥに前記ユーザ装置のデータ到着指示情報を送信するステップと、前記ユーザ装置が呼び覚まされていない場合に、前記ゲートウェイが、前記データ到着指示情報を再送するステップと、を含む、方法を提供する。
【００２９】
本発明の実施例の第９の態様では、モビリティ管理エンティティであって、前記ＭＭＥがアイドル状態にあるユーザ装置を呼び覚ますことをトリガするように、ゲートウェイにより送信された前記ユーザ装置のデータ到着指示情報を受信する第２の受信手段と、前記ユーザ装置がスモールデータ伝送方式を用いる場合に、基地局を介して前記ユーザ装置にページングメッセージを送信し、且つ前記ページングメッセージの送信を繰り返さない第２の処理手段と、を含む、モビリティ管理エンティティを提供する。
【００３０】
本発明の実施例の第１０の態様では、ゲートウェイであって、ＭＭＥがアイドル状態にあるユーザ装置を呼び覚ますことをトリガするように、前記ＭＭＥに前記ユーザ装置のデータ到着指示情報を送信する第３の送信手段と、前記ユーザ装置が呼び覚まされていない場合に、前記データ到着指示情報を再送する第３の処理手段と、を含む、ゲートウェイを提供する。
【００３１】
本発明の実施例の第１１の態様では、ユーザ装置と、基地局と、ＭＭＥと、ゲートウェイとを含む通信システムであって、ゲートウェイとデータ伝送チャネルを確立したユーザ装置が、前記ゲートウェイがＭＭＥに送信したデータ到着指示メッセージに含まれるユーザ装置識別子に対応するユーザ装置であり、且つ前記ユーザ装置が接続無し方式を用いてデータ伝送を行う場合に、前記ゲートウェイは、前記ＭＭＥに、アイドル状態にあるユーザ装置を呼び覚ましたことを示すページング指示情報を送信し、前記ＭＭＥは、ゲートウェイにより送信された、アイドル状態にあるユーザ装置を呼び覚ましたことを示すページング指示情報を受信し、ページングメッセージの送信を停止する、通信システムを提供する。
【００３２】
本発明の実施例の第１２の態様では、ユーザ装置と、基地局と、ＭＭＥと、ゲートウェイとを含む通信システムであって、基地局と接続を確立したユーザ装置が、前記基地局がＭＭＥから受信したページングメッセージに含まれるユーザ装置識別子に対応するユーザ装置であり、且つ前記ユーザ装置が接続無し方式を用いてデータ伝送を行う場合に、前記基地局は、前記ＭＭＥに、アイドル状態にあるユーザ装置を呼び覚ましたことを示すページング指示情報を送信し、前記ＭＭＥは、ゲートウェイにより送信された、アイドル状態にあるユーザ装置を呼び覚ましたことを示すページング指示情報を受信し、ページングメッセージの送信を停止する、通信システムを提供する。
【００３３】
本発明の実施例の第１３の態様では、ユーザ装置と、基地局と、モビリティ管理エンティティと、ゲートウェイとを含む通信システムであって、前記ゲートウェイは、ＭＭＥがアイドル状態にあるユーザ装置を呼び覚ますことをトリガするように、前記ＭＭＥに前記ユーザ装置のデータ到着指示情報を送信し、前記ユーザ装置が呼び覚まされていない場合に、前記データ到着指示情報を再送し、前記ＭＭＥは、前記ＭＭＥがアイドル状態にあるユーザ装置を呼び覚ますことをトリガするように、ゲートウェイにより送信された前記ユーザ装置のデータ到着指示情報を受信し、前記ユーザ装置がスモールデータ伝送方式を用いる場合に、基地局を介して前記ユーザ装置にページングメッセージを送信し、且つ前記ページングメッセージの送信を繰り返さない、通信システムを提供する。
【００３４】
本発明の実施例の他の態様では、基地局においてプログラムを実行する際に、コンピュータに、上記第２の態様に記載のページング方法を前記基地局において実行させる、コンピュータ読み取り可能なプログラムを提供する。
【００３５】
本発明の実施例の他の態様では、コンピュータに、上記第２の態様に記載のページング方法を基地局において実行させるためのコンピュータ読み取り可能なプログラムを記憶する、記憶媒体を提供する。
【００３６】
本発明の実施例の他の態様では、モビリティ管理エンティティにおいてプログラムを実行する際に、コンピュータに、上記第１又は７の態様に記載のページング方法を前記モビリティ管理エンティティにおいて実行させる、コンピュータ読み取り可能なプログラムを提供する。
【００３７】
本発明の実施例の他の態様では、コンピュータに、上記第１又は７の態様に記載のページング方法をモビリティ管理エンティティにおいて実行させるためのコンピュータ読み取り可能なプログラムを記憶する、記憶媒体を提供する。
【００３８】
本発明の実施例の他の態様では、ゲートウェイにおいてプログラムを実行する際に、コンピュータに、上記第５又は８の態様に記載のページング方法を前記ゲートウェイにおいて実行させる、コンピュータ読み取り可能なプログラムを提供する。
【００３９】
本発明の実施例の他の態様では、コンピュータに、上記第５又は８の態様に記載のページング方法をゲートウェイにおいて実行させるためのコンピュータ読み取り可能なプログラムを記憶する、記憶媒体を提供する。
【００４０】
本発明の実施例の有益な効果としては、モビリティ管理エンティティ（ＭＭＥ）が基地局又はゲートウェイにより送信されたページング指示情報を受信し、該ページング指示情報に基づいて、アイドル状態にあるユーザ装置を呼び覚ましたことを指示することで、該ＭＭＥはページングメッセージを再送することを回避でき、ページングシグナリングのオーバヘッドを低減できる。
【００４１】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００４２】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００４３】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００４４】
ここで含まれる図面は、本発明の実施例を理解させるためのものであり、本明細書の一部を構成し、本発明の実施例を例示するためのものであり、文言の記載と合わせて本発明の原理を説明する。なお、ここに説明される図面は、単なる本発明の実施例を説明するためのものであり、当業者にとって、これらの図面に基づいて他の図面を容易に得ることができる。
【図１】従来方式におけるユーザ装置によるデータ伝送の状態切替のフローチャートである。
【図２】従来方式における強化されたスモールデータの伝送プロセスのフローチャートである。
【図３】従来方式におけるダウンリンクデータが到着した後にＵＥを呼び覚ますプロセスのフローチャートである。
【図４】本発明の実施例１のページング方法のフローチャートである。
【図５】本発明の実施例４のページング方法のフローチャートである。
【図６】本発明の実施例５のページング方法のフローチャートである。
【図７】本発明の実施例６のモビリティ管理エンティティ（ＭＭＥ）の構成を示す図である。
【図８】本発明の実施例６のＭＭＥの構成を示す図である。
【図９】本発明の実施例７の基地局の構成を示す図である。
【図１０】本発明の実施例９のページング方法のフローチャートである。
【図１１】本発明の実施例１０のページング方法のフローチャートである。
【図１２】本発明の実施例１１のページング方法のフローチャートである。
【図１３】本発明の実施例１２のＭＭＥの構成を示す図である。
【図１４】本発明の実施例１３のゲートウェイの構成を示す図である。
【発明を実施するための形態】
【００４５】
以下は、図面を参照しながら、本発明の各種の実施形態を説明する。これらの実施形態は単なる例示的なものであり、本発明はこれに限定されない。
【００４６】
上記の課題を解決するために、本発明の実施例はページング方法を提供し、ＭＭＥは基地局又はゲートウェイにより送信された、アイドル状態にあるユーザ装置を呼び覚ましたことを示すページング指示情報を受信する。これによって、該ＭＭＥは、該ページング指示情報に基づいてページングメッセージの送信を停止する。或いは、ＭＭＥは、ゲートウェイにより送信された、アイドル状態にあるユーザ装置のデータ到着指示情報を受信した場合に、ページングメッセージの送信を繰り返すことなく、該ページングメッセージを１回のみ送信する。アイドル状態にあるユーザ装置が呼び覚まされていない場合に、ゲートウェイは該データ到着指示情報を再送する。
【００４７】
上記の方法によれば、不要なページングオーバヘッドを低減でき、従来技術に存在する問題点を解決できる。以下は、図面を参照しながら本発明の実施例を詳細に説明する。
【００４８】
＜実施例１＞
図４は本発明の実施例１のページング方法のフローチャートである。図４に示すように、該方法は下記のステップを含む。
【００４９】
ステップ４０１：ＭＭＥは、基地局又はゲートウェイにより送信された、アイドル状態にあるユーザ装置を呼び覚ましたことを示すページング指示情報を受信する。
【００５０】
本実施例では、該ページング指示情報は、ユーザ装置識別子、及び／又はスモールデータパケット伝送の指示情報を含んでもよい。
【００５１】
該ゲートウェイにより送信されたページング指示情報を受信する場合に、該ユーザ装置識別子は、該ＭＭＥが該ゲートウェイから受信した、該アイドル状態にあるユーザ装置のデータ到着指示に含まれるユーザ装置識別子と一致する。
【００５２】
該基地局により送信されたページング指示情報を受信する場合に、該ユーザ装置識別子は、該ＭＭＥが該基地局に送信したページング（ｐａｇｉｎｇ）メッセージに含まれるユーザ装置識別子と一致する。
【００５３】
ステップ４０２：該ＭＭＥは、該ページング指示情報に基づいてページングメッセージの送信を停止する。
【００５４】
本実施例では、該ＭＭＥが該基地局により送信されたページング指示情報を受信した場合に、該ページング指示情報に含まれるユーザ装置識別子が、該ＭＭＥが該基地局に送信したページングメッセージに含まれるユーザ装置識別子と一致するときに、該アイドル状態にあるユーザ装置が呼び覚まされたと決定し、該ＭＭＥはページングメッセージの送信を停止する。
【００５５】
或いは、該ＭＭＥが該ゲートウェイにより送信されたページング指示情報を受信した場合に、該ページング指示情報に含まれるユーザ装置識別子が、該ゲートウェイが該ＭＭＥに送信したデータ到着指示に含まれるユーザ装置識別子と一致するときに、該アイドル状態にあるユーザ装置が呼び覚まされたと決定し、該ＭＭＥはページングメッセージの送信を停止する。
【００５６】
上記の実施例によれば、上記の方法を用いて、該ＭＭＥはページングメッセージを再送することを回避でき、ページングシグナリングのオーバヘッドを低減できる。
【００５７】
＜実施例２＞
本発明の実施例２はページング方法をさらに提供する。該方法は以下のステップを含む。
【００５８】
基地局と接続を確立したユーザ装置が、該基地局がＭＭＥから受信したページングメッセージに含まれるユーザ装置識別子に対応するユーザ装置であり、且つ該ユーザ装置が接続無し方式を用いてデータ伝送を行う場合に、該基地局は、該ＭＭＥに、アイドル状態にあるユーザ装置を呼び覚ましたことを示すページング指示情報を送信する。
【００５９】
＜実施例３＞
本発明の実施例３はページング方法をさらに提供する。該方法は以下のステップを含む。
【００６０】
ゲートウェイとデータ伝送チャネルを確立したユーザ装置が、ゲートウェイがＭＭＥに送信したデータ到着指示メッセージに含まれるユーザ装置識別子に対応するユーザ装置であり、且つ該ユーザ装置が接続無し方式を用いてデータ伝送を行う場合に、該ゲートウェイは、該ＭＭＥに、アイドル状態にあるユーザ装置を呼び覚ましたことを示すページング指示情報を送信する。
【００６１】
以下は、図面を参照しながら、基地局及びゲートウェイからページング指示情報を受信するシナリオについてそれぞれ説明する。
【００６２】
＜実施例４＞
図５は本発明の実施例４のページング方法のフローチャートである。図５に示すように、該方法は以下のステップを含む。
【００６３】
ステップ５０１：サービングゲートウェイ（ＳＧＷ）はＵＥのダウンリンクデータが到着したと決定する。
【００６４】
ステップ５０２：該ＵＥがアイドル状態にある場合に、該ＳＧＷは、ＭＭＥにダウンリンクデータ到着指示を送信し、該ＭＭＥがページング（ｐａｇｉｎｇ）メッセージを送信して該アイドル状態にあるＵＥを呼び覚ますことをトリガする。
【００６５】
ここで、該データ到着指示は、該ユーザ装置識別子を含んでもよい。
【００６６】
ステップ５０３、ステップ５０４：該ＭＭＥは、ｅＮＢを介してＵＥにページングメッセージを送信し、アイドル状態にあるＵＥを呼び覚ます。
【００６７】
ここで、該ページングメッセージは、ＵＥの識別子を含み、スモールデータパケット伝送の指示情報をさらに含んでもよい。
【００６８】
ステップ５０５、ステップ５０６：該ＵＥは、該ページングメッセージを受信し、基地局との間のＲＲＣ接続を確立する。
【００６９】
ここで、該ＵＥは、該ページングメッセージにおけるＵＥ識別子を検証し、ＲＲＣ接続を確立することで該ページングメッセージを応答してもよい。該ページングメッセージがスモールデータパケット伝送の指示情報を含む場合に、該スモールデータパケット伝送の指示情報に基づいて接続無し方式を用いて伝送を行い、ｅＮＢとの間のＲＲＣ接続を確立してもよく、該プロセスは従来技術と類似するため、ここでその説明が省略される。
【００７０】
ステップ５０７：該基地局は、該ＭＭＥにページング指示情報を送信し、該ページング指示情報により、アイドル状態にあるユーザ装置が呼び覚まされたことを指示する。
【００７１】
ここで、該基地局（ｅＮＢ）は、該ＵＥとＲＲＣ接続を確立した後に、ＲＲＣ接続を確立したＵＥがページングメッセージにおけるＵＥ識別子に対応するＵＥであり、且つ該ユーザ装置が接続無し方式を用いてデータ伝送を行うか否かを検証し、ＹＥＳの場合に、該ｅＮＢは、該ＵＥを呼び覚ましたことを示すページング指示情報をＭＭＥに送信し、該ページング指示情報は、ＵＥ識別子を含んでもよく、該ＵＥ識別子は、該ＭＭＥが該基地局に送信したページングメッセージに含まれるＵＥ識別子に対応する。
【００７２】
例えば、該ページング指示情報は、初期ユーザメッセージ（Ｉｎｉｔｉａｌ  ＵＥ  ｍｅｓｓａｇｅ）内にキャリーされてもよいし、新しく定義されたＳ１メッセージ内にキャリーされてもよい。該指示情報がＩｎｉｔｉａｌ  ＵＥ  ｍｅｓｓａｇｅ内にキャリーされた場合に、該ＭＭＥは、該Ｉｎｉｔｉａｌ  ＵＥ  ｍｅｓｓａｇｅ内のＮＡＳ情報要素を無視してもよい。
【００７３】
ステップ５０８：該ＭＭＥは、該ｅＮＢにより送信されたページング指示情報を受信し、該ページング指示情報に基づいて該ＵＥへのページングメッセージの再送を停止する。
【００７４】
ここで、該ＭＭＥが該ｅＮＢにより送信されたページング指示情報を受信した後に、該ＵＥ識別子に基づいて該ＵＥが呼び覚まされたと決定した場合に、該ＭＭＥは、該ＵＥへのページングメッセージの再送を停止してもよい。
【００７５】
上記の実施例によれば、基地局により送信されたページング指示情報を受信することで、該ＭＭＥはページングメッセージを再送することを回避でき、ページングシグナリングのオーバヘッドを低減できる。
【００７６】
＜実施例５＞
図６は本発明の実施例５のページング方法のフローチャートである。図６に示すように、該方法は以下のステップを含む。
【００７７】
ステップ６０１：サービングゲートウェイ（ＳＧＷ）はＵＥのダウンリンクデータが到着したと決定する。
【００７８】
ステップ６０２：該ＵＥがアイドル状態にある場合に、該ＳＧＷは、ＭＭＥにダウンリンクデータ到着指示を送信し、該ＭＭＥがページング（ｐａｇｉｎｇ）メッセージを送信して該アイドル状態にあるＵＥを呼び覚ますことをトリガする。
【００７９】
ここで、該データ到着指示は、該ユーザ装置識別子を含んでもよい。
【００８０】
ステップ６０３、ステップ６０４：該ＭＭＥは、ｅＮＢを介してＵＥにページングメッセージを送信し、アイドル状態にあるＵＥを呼び覚ます。
【００８１】
ここで、該ページングメッセージは、ＵＥの識別子を含み、スモールデータパケット伝送の指示情報をさらに含んでもよい。
【００８２】
ステップ６０５、ステップ６０６：該ＵＥは、該ページングメッセージを受信し、基地局を介してＳＧＷとの間のデータ伝送チャネルを確立する。
【００８３】
ここで、該ＵＥは、該ページングメッセージを受信した後に、該ページングメッセージにおけるＵＥ識別子を検証し、ＲＲＣ接続を確立することで該ページングメッセージを応答してもよい。該ページングメッセージがスモールデータパケット伝送の指示情報を含む場合に、該スモールデータパケット伝送の指示情報に基づいて接続無し方式を用いて伝送を行い、ｅＮＢを介してＳＧＷとの間のデータ伝送チャネルを確立してもよい。
【００８４】
本実施例では、図２に示すプロセスを用いてＲＲＣ接続及びＳ１データ伝送チャネルを確立してもよいが、ここでその説明が省略される。
【００８５】
ステップ６０７：該ゲートウェイは、該ＭＭＥにページング指示情報を送信し、該ページング指示情報により、アイドル状態にあるユーザ装置が呼び覚まされたことを指示する。
【００８６】
ここで、該ＳＧＷは、該ＵＥとデータ伝送チャネルを確立した後に、データ伝送チャネルを確立したＵＥが、ダウンリンクデータ伝送をトリガしたＵＥであり、且つ該ＵＥが接続無し方式を用いてデータ伝送を行うか否かを検証し、該ＳＧＷは、該ＵＥを呼び覚ましたことを示すページング指示情報をＭＭＥに送信し、該ページング指示情報は、ＵＥ識別子を含んでもよく、該ＵＥ識別子は、ステップ６０１におけるダウンリンクデータ到着指示に含まれるＵＥ識別子に対応する。
【００８７】
ステップ６０８：該ＭＭＥは、該ＳＧＷにより送信されたページング指示情報を受信し、該ページング指示情報に基づいて該ＵＥへのページングメッセージの再送を停止する。
【００８８】
ここで、該ＭＭＥが該ｅＮＢにより送信されたページング指示情報を受信した後に、該ＵＥ識別子に基づいて該ＵＥが呼び覚まされたと決定した場合に、該ＭＭＥは、該ＵＥへのページングメッセージの再送を停止してもよい。
【００８９】
上記の実施例によれば、ＳＧＷにより送信されたページング指示情報を受信することで、該ＭＭＥはページングメッセージを再送することを回避でき、ページングシグナリングのオーバヘッドを低減できる。
【００９０】
＜実施例６＞
図７は本発明の実施例６のモビリティ管理エンティティ（ＭＭＥ）の構成を示す図である。図７に示すように、ＭＭＥ６００は、基地局又はゲートウェイにより送信された、アイドル状態にあるユーザ装置を呼び覚ましたことを示すページング指示情報を受信する第１の受信部６０１、を含む。
【００９１】
また、ＭＭＥ６００は、該ページング指示情報に基づいてページングメッセージの送信を停止する第１の処理部６０２、をさらに含んでもよい。
【００９２】
上記の実施例によれば、基地局又はゲートウェイを介して、アイドル状態にあるユーザ装置を呼び覚ましたことをＭＭＥに通知することで、ページングメッセージを再送することを回避でき、ページングシグナリングのオーバヘッドを低減できる。
【００９３】
該ＭＭＥ６００の動作フローは実施例１、４〜５に記載されたものであり、ここでその説明が省略される。
【００９４】
本実施例では、ＭＭＥ６００は、上記各部以外に、従来のＭＭＥと共通する他のユニットをさらに含んでもよい。
【００９５】
図８は本発明の実施例６のＭＭＥの構成を示す図である。図８に示すように、ＭＭＥ８００は、第１の受信部８０３ａ及び第１の処理部８０３ｂを含み、その作用は上記の通りである。また、ＭＭＥ８００は、主制御回路８０１、メモリ８０２及び送受信機８０４をさらに含む。メモリ８０２は、ページングプログラムを記憶してもよく、主制御回路８０１の制御により該プログラムを実行し、該プログラムの実行プロセスは実施例１の通りであり、ここでその説明が省略される。他のユニットの機能は従来技術と類似し、ここでその説明が省略される。ここで、第１の受信部８０３ａ及び第１の処理部８０３ｂは主制御回路８０１と統合して用いられてもよい。
【００９６】
＜実施例７＞
本発明の実施例７は基地局をさらに提供し、該基地局は、基地局と接続を確立したユーザ装置が、該基地局がＭＭＥから受信したページングメッセージに含まれるユーザ装置識別子に対応するユーザ装置であり、且つ該ユーザ装置が接続無し方式を用いてデータ伝送を行う場合に、該ＭＭＥに、アイドル状態にあるユーザ装置を呼び覚ましたことを示すページング指示情報を送信する第１の送信部、を含む。
【００９７】
本実施例では、該基地局は、上記の第１の送信部以外に、従来の基地局と共通する他のユニットをさらに含んでもよい。
【００９８】
図９は本発明の実施例７の基地局の構成を示す図である。図９に示すように、基地局９００は、第１の送信部９０３を含み、その作用は上記の通りである。また、基地局９００は、主制御回路９０１、メモリ９０２、送受信機９０４及びアンテナ９０５をさらに含む。メモリ９０２は、ページングプログラムを記憶してもよく、主制御回路９０１の制御により該プログラムを実行し、該プログラムの実行プロセスは実施例１の通りであり、ここでその説明が省略される。他のユニットの機能は従来技術と類似し、ここでその説明が省略される。ここで、第１の送信部９０３は主制御回路９０１と統合して用いられてもよい。
【００９９】
本実施例では、該基地局は上記実施例２、４〜５に記載されたものであり、ここでその説明が省略される。
【０１００】
＜実施例８＞
本発明の実施例８はゲートウェイをさらに提供し、該ゲートウェイは、ゲートウェイとデータ伝送チャネルを確立したユーザ装置が、該ゲートウェイがＭＭＥに送信したデータ到着指示メッセージに含まれるユーザ装置識別子に対応するユーザ装置であり、且つ該ユーザ装置が接続無し方式を用いてデータ伝送を行う場合に、該ＭＭＥに、アイドル状態にあるユーザ装置を呼び覚ましたことを示すページング指示情報を送信する第２の送信部、を含む。
【０１０１】
本実施例では、該ゲートウェイは、上記第２の送信部以外に、従来のゲートウェイと共通する他のユニットをさらに含んでもよい。例えば、主制御回路、メモリ、送受信機などのユニットをさらに含んでもよく、図９に示す基地局の構成図と類似し、ここでその説明が省略される。
【０１０２】
＜実施例９＞
図１０は本発明の実施例９のページング方法のフローチャートである。図１０に示すように、該方法は下記のステップを含む。
【０１０３】
ステップ１００１：ＭＭＥがアイドル状態にあるユーザ装置を呼び覚ますことをトリガするように、ＭＭＥは、ゲートウェイにより送信されたユーザ装置のデータ到着指示情報を受信する。
【０１０４】
ここで、アイドル状態にあるユーザ装置のダウンリンクデータが到着した場合に、ゲートウェイは、該ＭＭＥにデータ到着指示を送信し、該ＭＭＥがページングメッセージを送信することをトリガし、このプロセスは従来技術と類似し、ここでその説明が省略される。
【０１０５】
ステップ１００２：ＭＭＥは、基地局を介して該ユーザ装置にページングメッセージを送信し、且つ該ページングメッセージの送信を繰り返さない。
【０１０６】
ここで、該ＭＭＥは、ｅＮＢを介してＵＥにページングメッセージを送信し、アイドル状態にあるＵＥを呼び覚ましてもよい。該ページングメッセージは、ＵＥ識別子を含み、スモールデータパケット伝送の指示情報を含んでもよい。該ステップでは、ＭＭＥが該ＵＥが接続無し方式のようなスモールデータ伝送方式を用いてデータ伝送を行うことを知った場合に、該ＭＭＥは、ページングメッセージの送信を１回のみ実行し、即ちＭＭＥが該ページングメッセージを再送しない。これによって、該ＭＭＥはページングシグナリングのオーバヘッドを低減できる。
【０１０７】
＜実施例１０＞
図１１は本発明の実施例１０のページング方法のフローチャートである。図１１に示すように、該方法は下記のステップを含む。
【０１０８】
ステップ１１０１：ＭＭＥがアイドル状態にあるユーザ装置を呼び覚ますことをトリガするように、ゲートウェイは、該ＭＭＥに該ユーザ装置のデータ到着指示情報を送信する。
【０１０９】
ステップ１１０２：該ユーザ装置が呼び覚まされていない場合に、該ゲートウェイは、該データ到着指示情報を再送する。
【０１１０】
本実施例では、該ゲートウェイは、所定の時間内に該ユーザ装置のデータ伝送チャネル確立情報を受信していない場合に、該ユーザ装置が呼び覚まされていないと決定してもよい。
【０１１１】
以下は、具体的なシナリオを参照しながら、本発明の実施例のページング方法を詳細に説明する。
【０１１２】
＜実施例１１＞
図１２は本発明の実施例１１のページング方法のフローチャートである。図１２に示すように、該方法は下記のステップを含む。
【０１１３】
ステップ１２０１：サービングゲートウェイ（ＳＧＷ）はＵＥのダウンリンクデータが到着したと決定する。
【０１１４】
ステップ１２０２：該ＵＥがアイドル状態にある場合に、該ＳＧＷは、ＭＭＥにダウンリンクデータ到着指示を送信し、該ＭＭＥがページング（ｐａｇｉｎｇ）メッセージを送信して該アイドル状態にあるＵＥを呼び覚ますことをトリガする。
【０１１５】
ここで、該データ到着指示は、該ユーザ装置識別子を含んでもよい。
【０１１６】
ステップ１４０３、ステップ１４０４：該ＭＭＥは、ｅＮＢを介してＵＥにページングメッセージを送信し、アイドル状態にあるＵＥを呼び覚ます。
【０１１７】
ここで、該ページングメッセージは、ＵＥの識別子を含み、スモールデータパケット伝送の指示情報をさらに含んでもよい。
【０１１８】
本実施例では、ＭＭＥが、該ＵＥが接続無し方式のようなスモールデータ伝送方式を用いてデータ伝送を行うことを知った場合に、ＭＭＥはｐａｇｉｎｇメッセージの送信を１回のみ実行し、即ちＭＭＥはｐａｇｉｎｇメッセージを再送しない。
【０１１９】
ステップ１２０５、ステップ１２０６：該ＵＥは、該ページングメッセージを受信し、ネットワーク側との接続を確立することで応答し、該基地局を介してＳＧＷとの間のデータ伝送チャネルを確立する。
【０１２０】
なお、本実施例では、図２に示すプロセスを用いてＲＲＣ接続及びＳ１データ伝送チャネルを確立してもよいが、ここでその説明が省略される。
【０１２１】
ステップ１２０７ａ、１２０７ｂ：ＳＧＷは該ＵＥのデータ伝送フローを実行し、該フローは従来技術と類似し、ここでその説明が省略される。
【０１２２】
本実施例では、ステップ１２０４の後に、ＵＥによるｐａｇｉｎｇメッセージの受信又はＵＥによるｐａｇｉｎｇメッセージに対する応答が成功していない場合に、該方法は以下のステップをさらに含んでもよい。
【０１２３】
ステップ１２０８：ＳＧＷは、ダウンリンクデータ伝送をトリガしたＵＥが呼び覚まされていないと決定する。
【０１２４】
このように、該ＳＧＷはダウンリンクデータ到着指示の再送をトリガし、ＭＭＥにダウンリンクデータ到着指示を再送し、即ちステップ１２０２に進む。
【０１２５】
ここで、該ＳＧＷはタイマ方式によりＵＥが呼び覚まされているか否かを決定してもよい。即ち、タイマの時間を超過した後に該ＵＥのデータ伝送チャネル確立情報を受信していない場合に、ＳＧＷは該ＵＥが呼び覚まされていないと決定してもよい。また、該ＳＧＷは他の方式を用いて判断してもよく、上記タイマの方式に限定されない。
【０１２６】
上記の実施例によれば、ＭＭＥが、該ＵＥが接続無し方式のようなスモールデータ伝送方式を用いてデータ伝送を行うことを知った場合に、該ＭＭＥはｐａｇｉｎｇメッセージの送信を１回のみ実行し、即ちＭＭＥはｐａｇｉｎｇメッセージを再送しないことで、ページングシグナリングのオーバヘッドを低減できる。
【０１２７】
＜実施例１２＞
図１３は本発明の実施例１２のＭＭＥの構成を示す図である。図１３に示すように、ＭＭＥ１３００は、第２の受信部１３０１及び第２の処理部１３０２を含む。
【０１２８】
第２の受信部１３０１は、ＭＭＥがアイドル状態にあるユーザ装置を呼び覚ますことをトリガするように、ゲートウェイにより送信された該ユーザ装置のデータ到着指示情報を受信する。第２の処理部１３０２は、該ユーザ装置がスモールデータ伝送方式を用いる場合に、基地局を介して該ユーザ装置にページングメッセージを送信し、且つ該ページングメッセージの送信を繰り返さない。
【０１２９】
また、上記各部以外に、該ＭＭＥは従来技術のＭＭＥと共通する他のユニットをさらに含んでもよく、図８に示す実施例と類似し、ここでその説明が省略される。
【０１３０】
該ＭＭＥの動作プロセスは実施例９、１１に記載されたものであり、ここでその説明が省略される。
【０１３１】
＜実施例１３＞
図１４は本発明の実施例１３のゲートウェイの構成を示す図である。図１３に示すように、ゲートウェイ１４００は、第３の送信部１４０１及び第３の処理部１４０２を含む。
【０１３２】
第３の送信部１４０１は、ＭＭＥがアイドル状態にあるユーザ装置を呼び覚ますことをトリガするように、該ＭＭＥに該ユーザ装置のデータ到着指示情報を送信する。第３の処理部１４０２は、該ユーザ装置が呼び覚まされていない場合に、該データ到着指示情報を再送する。
【０１３３】
本実施例では、ゲートウェイ１４００は決定部（図示せず）をさらに含んでもよく、決定部は、所定の時間内に該ユーザ装置のデータ伝送チャネル確立情報を受信していない場合に、該ユーザ装置が呼び覚まされていないと決定する。
【０１３４】
該ユーザ装置が呼び覚まされていないと決定部により決定された場合に、第３の処理部１４０２は、該データ到着指示情報を再送する。
【０１３５】
また、上記各部以外に、該ＭＭＥは従来技術のＭＭＥと共通する他のユニットをさらに含んでもよく、実施例８と類似し、ここでその説明が省略される。
【０１３６】
＜実施例１４＞
本発明の実施例１４は通信システムをさらに提供し、該通信システムはユーザ装置と、基地局と、ＭＭＥと、ゲートウェイとを含んでもよい。ここで、該ユーザ装置、基地局の作用は従来技術と類似する。
【０１３７】
該ゲートウェイは、ゲートウェイとデータ伝送チャネルを確立したユーザ装置が、該ゲートウェイがＭＭＥに送信したデータ到着指示メッセージに含まれるユーザ装置識別子に対応するユーザ装置であり、且つ該ユーザ装置が接続無し方式を用いてデータ伝送を行う場合に、該ＭＭＥに、アイドル状態にあるユーザ装置を呼び覚ましたことを示すページング指示情報を送信する。
【０１３８】
該ＭＭＥは、ゲートウェイにより送信された、アイドル状態にあるユーザ装置を呼び覚ましたことを示すページング指示情報を受信し、ページングメッセージの送信を停止する。
【０１３９】
該システムの動作プロセスは実施例５に記載されたものであり、ここでその説明が省略される。
【０１４０】
＜実施例１５＞
本発明の実施例１５は通信システムをさらに提供し、該通信システムはユーザ装置と、基地局と、ＭＭＥと、ゲートウェイとを含んでもよい。ここで、該ユーザ装置、ゲートウェイの作用は従来技術と類似する。
【０１４１】
該基地局は、基地局と接続を確立したユーザ装置が、該基地局がＭＭＥから受信したページングメッセージに含まれるユーザ装置識別子に対応するユーザ装置であり、且つ該ユーザ装置が接続無し方式を用いてデータ伝送を行う場合に、該ＭＭＥに、アイドル状態にあるユーザ装置を呼び覚ましたことを示すページング指示情報を送信する。
【０１４２】
該ＭＭＥは、ゲートウェイにより送信された、アイドル状態にあるユーザ装置を呼び覚ましたことを示すページング指示情報を受信し、ページングメッセージの送信を停止する。
【０１４３】
該システムの動作プロセスは実施例４に記載されたものであり、ここでその説明が省略される。
【０１４４】
＜実施例１６＞
本発明の実施例１６は通信システムをさらに提供し、該通信システムはユーザ装置と、基地局と、ＭＭえと、ゲートウェイとを含んでもよい。ここで、該ユーザ装置、基地局の作用は従来技術と類似する。
【０１４５】
該ゲートウェイは、ＭＭＥがアイドル状態にあるユーザ装置を呼び覚ますことをトリガするように、該ＭＭＥに該ユーザ装置のデータ到着指示情報を送信し、該ユーザ装置が呼び覚まされていない場合に、該データ到着指示情報を再送する。
【０１４６】
該ＭＭＥは、該ＭＭＥがアイドル状態にあるユーザ装置を呼び覚ますことをトリガするように、ゲートウェイにより送信された該ユーザ装置のデータ到着指示情報を受信し、該ユーザ装置がスモールデータ伝送方式を用いる場合に、基地局を介して該ユーザ装置にページングメッセージを送信し、且つ該ページングメッセージの送信を繰り返さない。
【０１４７】
該システムの動作プロセスは実施例１１に記載されたものであり、ここでその説明が省略される。
【０１４８】
本発明の実施例は、基地局においてプログラムを実行する際に、コンピュータに、実施例２又は４に記載のページング方法を前記基地局において実行させる、コンピュータ読み取り可能なプログラムをさらに提供する。
【０１４９】
本発明の実施例は、コンピュータに、実施例２又は４に記載のページング方法を基地局において実行させるためのコンピュータ読み取り可能なプログラムを記憶する、記憶媒体をさらに提供する。
【０１５０】
本発明の実施例は、モビリティ管理エンティティにおいてプログラムを実行する際に、コンピュータに、実施例１、４、５、９又は１１に記載のページング方法を前記モビリティ管理エンティティにおいて実行させる、コンピュータ読み取り可能なプログラムをさらに提供する。
【０１５１】
本発明の実施例は、コンピュータに、実施例１、４、５、９又は１１に記載のページング方法をモビリティ管理エンティティにおいて実行させるためのコンピュータ読み取り可能なプログラムを記憶する、記憶媒体をさらに提供する。
【０１５２】
本発明の実施例は、ゲートウェイにおいてプログラムを実行する際に、コンピュータに、実施例３、５、１０又は１１に記載のページング方法を前記ゲートウェイにおいて実行させる、コンピュータ読み取り可能なプログラムをさらに提供する。
【０１５３】
本発明の実施例は、コンピュータに、実施例３、５、１０又は１１に記載のページング方法をゲートウェイにおいて実行させるためのコンピュータ読み取り可能なプログラムを記憶する、記憶媒体をさらに提供する。
【０１５４】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。ロジック部は、例えばフィールドプログラマブルロジック部、マイクロプロセッサ、コンピュータに用いられるプロセッサ等である。本発明は上記のプログラムを記憶するための記憶媒体、例えばハードディスク、ディスク、光ディスク、ＤＶＤ、フラッシュメモリ等に関する。
【０１５５】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2016532337.tif 000003
【図２】
2016532337.tif 000004
【図３】
2016532337.tif 000005
【図４】
2016532337.tif 000006
【図５】
2016532337.tif 000007
【図６】
2016532337.tif 000008
【図７】
2016532337.tif 000009
【図８】
2016532337.tif 000010
【図９】
2016532337.tif 000011
【図１０】
2016532337.tif 000012
【図１１】
2016532337.tif 000013
【図１２】
2016532337.tif 000014
【図１３】
2016532337.tif 000015
【図１４】
2016532337.tif 000016
【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
モビリティ管理エンティティであって、
基地局又はゲートウェイにより送信された、アイドル状態にあるユーザ装置を呼び覚ましたことを示すページング指示情報を受信する第１の受信手段、を含む、モビリティ管理エンティティ。
【請求項２】
前記ページング指示情報に基づいてページングメッセージの送信を停止する第１の処理手段、をさらに含む、請求項１に記載のモビリティ管理エンティティ。
【請求項３】
前記ページング指示情報は、ユーザ装置識別子、及び／又はスモールデータパケット伝送の指示情報を含み、
前記ユーザ装置識別子は、前記ＭＭＥがゲートウェイから受信したデータ到着指示に含まれるユーザ装置識別子と一致し、或いは前記ＭＭＥが前記基地局に送信したページングメッセージに含まれるユーザ装置識別子と一致する、請求項１に記載のモビリティ管理エンティティ。
【請求項４】
基地局であって、
基地局と接続を確立したユーザ装置が、前記基地局がＭＭＥから受信したページングメッセージに含まれるユーザ装置識別子に対応するユーザ装置であり、且つ前記ユーザ装置が接続無し方式を用いてデータ伝送を行う場合に、前記ＭＭＥに、アイドル状態にあるユーザ装置を呼び覚ましたことを示すページング指示情報を送信する第１の送信手段、を含む、基地局。
【請求項５】
ゲートウェイであって、
ゲートウェイとデータ伝送チャネルを確立したユーザ装置が、前記ゲートウェイがＭＭＥに送信したデータ到着指示メッセージに含まれるユーザ装置識別子に対応するユーザ装置であり、且つ前記ユーザ装置が接続無し方式を用いてデータ伝送を行う場合に、前記ＭＭＥに、アイドル状態にあるユーザ装置を呼び覚ましたことを示すページング指示情報を送信する第２の送信手段、を含む、ゲートウェイ。
【請求項６】
モビリティ管理エンティティ（ＭＭＥ）であって、
前記ＭＭＥがアイドル状態にあるユーザ装置を呼び覚ますことをトリガするように、ゲートウェイにより送信された前記ユーザ装置のデータ到着指示情報を受信する第２の受信手段と、
前記ユーザ装置がスモールデータ伝送方式を用いる場合に、基地局を介して前記ユーザ装置にページングメッセージを送信し、且つ前記ページングメッセージの送信を繰り返さない第２の処理手段と、を含む、モビリティ管理エンティティ。
【請求項７】
ゲートウェイであって、
ＭＭＥがアイドル状態にあるユーザ装置を呼び覚ますことをトリガするように、前記ＭＭＥに前記ユーザ装置のデータ到着指示情報を送信する第３の送信手段と、
前記ユーザ装置が呼び覚まされていない場合に、前記データ到着指示情報を再送する第３の処理手段と、を含む、ゲートウェイ。
【請求項８】
所定の時間内に前記ユーザ装置のデータ伝送チャネル確立情報を受信していない場合に、前記ユーザ装置が呼び覚まされていないと決定する決定手段、をさらに含む、請求項７に記載のゲートウェイ。
【請求項９】
ユーザ装置と、基地局と、ＭＭＥと、ゲートウェイとを含む通信システムであって、
ゲートウェイとデータ伝送チャネルを確立したユーザ装置が、前記ゲートウェイがＭＭＥに送信したデータ到着指示メッセージに含まれるユーザ装置識別子に対応するユーザ装置であり、且つ前記ユーザ装置が接続無し方式を用いてデータ伝送を行う場合に、前記ゲートウェイは、前記ＭＭＥに、アイドル状態にあるユーザ装置を呼び覚ましたことを示すページング指示情報を送信し、
前記ＭＭＥは、ゲートウェイにより送信された、アイドル状態にあるユーザ装置を呼び覚ましたことを示すページング指示情報を受信し、ページングメッセージの送信を停止する、通信システム。
【請求項１０】
ユーザ装置と、基地局と、ＭＭＥと、ゲートウェイとを含む通信システムであって、
基地局と接続を確立したユーザ装置が、前記基地局がＭＭＥから受信したページングメッセージに含まれるユーザ装置識別子に対応するユーザ装置であり、且つ前記ユーザ装置が接続無し方式を用いてデータ伝送を行う場合に、前記基地局は、前記ＭＭＥに、アイドル状態にあるユーザ装置を呼び覚ましたことを示すページング指示情報を送信し、
前記ＭＭＥは、ゲートウェイにより送信された、アイドル状態にあるユーザ装置を呼び覚ましたことを示すページング指示情報を受信し、ページングメッセージの送信を停止する、通信システム。
【請求項１１】
ユーザ装置と、基地局と、モビリティ管理エンティティと、ゲートウェイとを含む通信システムであって、
前記ゲートウェイは、ＭＭＥがアイドル状態にあるユーザ装置を呼び覚ますことをトリガするように、前記ＭＭＥに前記ユーザ装置のデータ到着指示情報を送信し、前記ユーザ装置が呼び覚まされていない場合に、前記データ到着指示情報を再送し、
前記ＭＭＥは、前記ＭＭＥがアイドル状態にあるユーザ装置を呼び覚ますことをトリガするように、ゲートウェイにより送信された前記ユーザ装置のデータ到着指示情報を受信し、前記ユーザ装置がスモールデータ伝送方式を用いる場合に、基地局を介して前記ユーザ装置にページングメッセージを送信し、且つ前記ページングメッセージの送信を繰り返さない、通信システム。
【手続補正２】
【補正対象書類名】明細書
【補正対象項目名】００８８
【補正方法】変更
【補正の内容】
【００８８】
ここで、該ＭＭＥが該ＳＧＷにより送信されたページング指示情報を受信した後に、該ＵＥ識別子に基づいて該ＵＥが呼び覚まされたと決定した場合に、該ＭＭＥは、該ＵＥへのページングメッセージの再送を停止してもよい。
【国際調査報告】
2016532337.tif 000017
2016532337.tif 000018
2016532337.tif 000019
2016532337.tif 000020